(57)【要約】【課題】分析用具に付着した余剰尿を、コスト的に有利かつ確実に除去する。【解決手段】試料液中の特定成分と反応させるための試薬を固定した試薬固定部１と、この試薬固定部１に付着した余剰な試料液を除去するための試料液除去部２と、を備えた分析用具Ｘ１において、試料液除去部２の少なくとも一部を、試薬固定部１に対して相対動可能とした。好ましくは、試薬固定部１が、試薬が固定されている試薬固定領域および試薬が固定されていない試薬非固定領域を有するものとされる。この場合、分析用具Ｘ１は、試薬固定部１の試薬固定領域が試料液除去部２に接触する状態と、試薬固定領域が試料液除去部に接触しない状態と、を選択できるように構成するのが好ましい。【選択図】  図１
2004177203.tif 000002
【特許請求の範囲】
【請求項１】
試料液中の特定成分と反応させるための試薬を固定した試薬固定部と、この試薬固定部に付着した余剰な試料液を除去するための試料液除去部と、を備えた分析用具であって、
上記試料液除去部の少なくとも一部は、上記試薬固定部に対して相対動可能とされていることを特徴とする、分析用具。
【請求項２】
上記試薬固定部は、試薬が固定されている試薬固定領域および試薬が固定されていない試薬非固定領域を有しており、
上記試薬固定領域が上記試料液除去部に接触する状態と、上記試薬固定領域が上記試料液除去部に接触しない状態と、を選択できるように構成されている、請求項１に記載の分析用具。
【請求項３】
上記試薬固定部と上記試料液除去部とが接続されており、かつ、
上記試薬固定部と上記試料液除去部との接続部分を介して、折り曲げ可能とされている、請求項１または２に記載の分析用具。
【請求項４】
上記試薬固定部の少なくとも一部は、上記試料液除去部に対して摺動可能とされている、請求項１または２に記載の分析用具。
【請求項５】
上記試薬固定部の摺動方向に交差する交差方向に対する相対動を制限するためのガイド部を有している、請求項４に記載の分析用具。
【請求項６】
上記試薬固定部および上記試料液除去部のうちの少なくとも一方は、可撓性を有しており、
上記可撓性を利用して、上記試薬固定部と上記試料液除去部とが相対動するように構成されている、請求項４または５に記載の分析用具。
【請求項７】
上記試薬固定部と上記試料液除去部とは、弾性部を介して接続されており、
上記弾性部の弾性を利用して、上記試薬固定部と上記試料液除去部とが相対動するように構成されている、請求項４または５に記載の分析用具。
【請求項８】
上記試薬固定部および上記試料液除去部を接続し、かつ折り返した状態で上記ガイド部によって上記交差方向に拘束された帯状部材と、この帯状部材の折り返し部分に配置された軸と、を有しており、かつ、
上記試薬固定部または上記試料液除去部が上記軸の周面に沿って移動可能なように構成されている、請求項５に記載の分析用具。
【請求項９】
上記試料液除去部は、上記試薬固定領域に接触させることができる除去機能層と、上記除去機能層における上記試薬固定領域に接触させる面とは反対の面に接合され、かつ上記除去機能層よりも吸水性が低い低吸水層と、を有している、請求項２ないし８のいずれかに記載の分析用具。
【請求項１０】
上記試料液除去部は、上記試薬固定領域に付着した試料液を、上記試薬固定領域から移動させるための凹部を有している、請求項２ないし９のいずれかに記載の分析用具。
【請求項１１】
上記試料液除去部は、上記試薬固定領域に接触させたときの平面視において、上記試薬固定領域の回りにはみだす部分を有しており、かつ当該部分が上記試薬固定領域よりも光を吸収しやすいものとされている、請求項２ないし１０のいずれかに記載の分析用具。
【請求項１２】
上記試薬は、上記試料液と反応したときに呈色するものであり、かつ、
上記試料液除去部には、上記試薬が呈する色と対比するための比色表が設けられている、請求項１ないし１１のいずれかに記載の分析用具。
【請求項１３】
試薬が固定されている試薬固定領域および試薬が固定されていない試薬非固定領域を有する分析用具を、上記試薬固定領域が上記試料液除去部に接触する状態と、上記試薬固定領域が上記試料液除去部に接触しない状態と、を選択できるように相対動可能に保持することができ、かつ、
上記試薬固定領域に付着した余剰液を除去するための液体除去手段が設けられていることを特徴とする、余剰液除去用具。
【発明の詳細な説明】
【０００１】
【発明の属する技術分野】
本発明は、尿などの液体試料を分析する際に使用される分析用具に関する。
【０００２】
【従来の技術】
尿の検査を行う場合、たとえば試薬パッドに尿を染み込ませた試験片を検査装置の測定部位に載置し、光学的手法を利用して自動的に検査を行う方法が採用されている。試薬パッドに対する尿の供給は、検査装置によって自動的に行われ、あるいは操作者が試験片を尿に浸漬することにより行われる。このとき、試験片に対して過剰に尿が供給された場合には、正確な測定が行えないことがある。たとえば、余剰な尿に試薬パッドから試薬が溶出し、試薬パッド自体の呈色度合いが小さくなったり、隣接する試薬パッドに試薬が混ざり込んでしまうことがある。また、試験片に余剰な尿が付着していれば、検査装置の測定部位に尿が付着し、次に使用する試験片を汚染して正確な測定を行えず、あるいは測定部位に尿がこびり付いて不衛生である。このような不具合は、操作者の手操作によって試験片に尿を供給する場合に顕著に現れる。そのため、余剰尿に起因した不具合を解消するために、種々の提案がなされており、そのような提案は、試験片に対する改良と検査装置に対する改良に大別することができる。
【０００３】
試験片を改良したものとして、たとえば試薬パッドに接触するようにして余剰尿を吸収するための余剰尿吸収部を設けたものがある。より具体的には、余剰尿吸収部を試薬パッドの下面や周りに密着して設けたもの、（たとえば特許文献１参照）、あるいは試薬パッドを覆うように吸水ネットを設けたものがある（たとえば特許文献２参照）。
【０００４】
これに対して、検査装置を改良したものとして、たとえば図１１および図１２に示したような余剰尿除去部を設けたものがある（たとえば特許文献３参照）。同図に示した余剰尿除去部９は、毛細管現象を利用して試験片に付着した余剰尿を除去するものである。この余剰尿除去部９は、試験片保持部９０および複数の側面溝９１を有している。試験片保持部９０には、複数の側面溝９２が設けられており、各側面溝９２が連通孔９３を介して側面溝９１に繋げられている。したがって、試験片９４の側面９５に付着した余剰尿は、毛細管力によって側面溝９２、連通孔９３および側面溝９１を介して除去され、試験片９４の底面９６に付着した余剰尿は、連通孔９３および側面溝９１を介して除去される。
【０００５】
【特許文献１】
特開平７−３６０１２号公報
【特許文献２】
特開昭５７−１８７６５６号公報
【特許文献３】
特開２０００−２５８４１３号公報
【０００６】
【発明が解決しようとする課題】
しかしながら、従来の余剰尿吸収部を設けた試験片は、余剰尿吸収部が固定化されているため、たとえば操作者が試験片を尿中に浸漬させたときに、試薬パッドとともに余剰尿吸収部が尿中に浸漬されてしまう。このため、試験片の浸漬時に余剰尿吸収部が尿を吸収してしまい、余剰尿吸収部において吸収できる余剰尿の量が少なくなって、上述した問題を十分には解決できない。
【０００７】
一方、検査装置に余剰尿除去部９を設ける方法では、検査装置が大型化するばかりか、製造コスト的にも不利である。また、余剰尿除去部９の側面溝９１，９２に尿が付着するために定期的に洗浄を行わなければならないなど、メインテナンスのための時間や労力がかかるといった問題もあった。
【０００８】
本発明は、このような事情のもとに考え出されたものであって、分析用具に付着した余剰尿を、コスト的に有利かつ確実に除去することを課題としている。
【０００９】
【発明の開示】
本発明では、上記した課題を解決するために、次の技術的手段を講じている。
【００１０】
すなわち、本発明の第１の側面により提供される分析用具は、試料液中の特定成分と反応させるための試薬を固定した試薬固定部と、この試薬固定部に付着した余剰な試料液を除去するための試料液除去部と、を備えた分析用具であって、上記試料液除去部の少なくとも一部は、上記試薬固定部に対して相対動可能とされていることを特徴としている。
【００１１】
試薬固定部は、たとえば試薬が固定されている試薬固定領域および試薬が固定されていない試薬非固定領域を有している。この場合、試薬固定領域が試料液除去部に接触する状態と、試薬固定領域が試料液除去部に接触しない状態と、を選択できるように構成するのが好ましい。
【００１２】
本発明の分析用具は、試薬固定部と試料液除去部とが接続されており、かつ、試薬固定部と上記試料液除去部との接続部分を介して、折り曲げ可能に構成してもよい。
【００１３】
試薬固定部の少なくとも一部は、たとえば試料液除去部に対して摺動可能とされる。この場合、分析用具は、試薬固定部の摺動方向に交差する交差方向に対する相対動を制限するためのガイド部を有するものとして構成するのが好ましい。
【００１４】
試薬固定部および上記試料液除去部のうちの少なくとも一方は、たとえば可撓性を有している。この場合、分析用具は、可撓性を利用して、試薬固定部と試料液除去部とが相対動するように構成するのが好ましい。
【００１５】
試薬固定部および試料液除去部のうちの少なくとも一方は、これらの接続部分とガイド部との間に位置する部分が折り曲げ可能なように構成し、試薬固定部と試料液除去部とが相対動するようにしてもよい。
【００１６】
試薬固定部と試料液除去部とは、弾性部を介して接続してもよい。この場合、分析用具は、弾性部の弾性を利用して、試薬固定部と試料液除去部とが相対動するように構成するのが好ましい。
【００１７】
本発明の分析用具は、たとえば試薬固定部および試料液除去部を接続し、かつ折り返した状態でガイド部によって上記交差方向に拘束された帯状部材と、この帯状部材の折り返し部分に配置された軸と、を有するものとして構成してもよい。この場合、試薬固定部または試料液除去部が上記軸の周面に沿って移動可能なように構成するのが好ましい。
【００１８】
試料液除去部は、試薬固定領域に接触させることができる除去機能層と、除去機能層における試薬固定領域に接触させる面とは反対の面に接合され、かつ除去機能層よりも吸水性が低い低吸水層と、を有するものとして構成するのが好ましい。
【００１９】
試料液除去部は、試薬固定領域に付着した試料液を、試薬固定領域から移動させるための凹部を有するものとして構成してもよい。凹部は、たとえば溝あるいは孔として形成される。
【００２０】
試料液除去部は、試薬固定部に試料液除去部を接触させたときの平面視において、試薬固定領域の回りにはみだす部分を有し、かつ当該部分が試薬固定領域よりも光を吸収しやすいものとしてもよい。試料液除去部には、試薬が試料液と反応したときに呈色するものである場合には、試薬が呈する色と対比するための比色表を設けてもよい。
【００２１】
本発明の第２の側面においては、試薬が固定されている試薬固定領域および試薬が固定されていない試薬非固定領域を有する分析用具を、上記試薬固定領域が上記試料液除去部に接触する状態と、上記試薬固定領域が上記試料液除去部に接触しない状態と、を選択できるように相対動可能に保持することができ、かつ、上記試薬固定領域に付着した余剰液を除去するための液体除去手段が設けられていることを特徴とする、余剰液除去用具が提供される。
【００２２】
【発明の実施の形態】
以下、本発明の好ましい実施の形態について、図面を参照して具体的に説明する。
【００２３】
図１または図２には、本発明の第１の実施の形態に係る分析用具Ｘ１を示した。分析用具Ｘ１は、試料液に含まれる特定成分を分析するために使用するものであり、試薬固定部材１および試料液除去部材２を有している。試料液としては、典型的には尿が挙げられ、その他に血液や水が挙げられる。特定成分としては、試料液が尿や血液の場合には、通常の臨床検査項目に対応した成分が挙げられ、試料液が水の場合には水質検査に必要な成分が挙げられる。
【００２４】
試薬固定部材１は、基板１０および複数の試薬パッド１１を有している。基板１０は、合成樹脂などにより短冊状に形成されており、試料液除去部材２に対して回動可能に接続されている。各試薬パッド１１は、基板１０上において、基板１０の長手方向に並んで配置されている。基板１０においては、試薬パッド１１が並んだ図における左側の部分が試薬固定領域を構成し、右側の部分が試薬非固定領域を構成している。各試薬パッド１１は、試料液中に含まれる特定成分と反応して呈色する試薬を含んでいる。試薬の種類は、特定成分の種類に応じて選択すればよい。
【００２５】
試料液除去部材２は、試薬パッド１１に試料液を供給したときに付着した余剰の試料液を除去するためのものであり、支持体２０、吸水層２１、および比色表２２を有している。支持体２０は、試薬固定部材１を保持するための凹部２０ａを有しており、たとえば黒色樹脂などにより形成されて、試薬固定部材１の基板１０よりも光を吸収しやすいものとされている。この支持体２０は、試薬固定部材１の基板１０よりも吸水性が低いものとされており、低吸水層を構成している。吸水層２１は、凹部２０ａの内面を覆うように設けられている。吸水層２１は、試薬固定部材１における基板１０の側面１０ａおよび底面１０ｂに接触させるためのものであり、基板１０の側面１０ａや底面１０ｂに付着した試料液を吸水するためのものである。この吸水層２１は、たとえば紙、織布、不織布、編布、あるいは吸水性高分子などにより形成されている。比色表２２は、試薬パッド１１の呈色程度を目視により確認する際に利用されるものであり、複数の色サンプル２２ａからなる。ただし、目視により呈色程度を確認せず、専ら分析用具Ｘ１を分析装置に装着して試料液の分析を行う場合には、比色表を省略してもよい。
【００２６】
分析用具Ｘ１は、試薬固定部材１が試料液除去部材２に対して回動可能とされているため、試薬固定部材１における基板１０の底面１０ａおよび側面１０ｂが試料液除去部材２における吸水層２１に接触する状態と接触しない状態とを選択することができる。したがって、尿や水などの試料液中に試薬パッド１１を浸漬して各試薬パッド１１へ試料液の供給を供給する場合には、図３に示したように、試薬固定部材１に対して、試料液除去部材２が接触しない状態を選択すればよい。そうすれば、試料液中に試薬パッド１１を浸漬させるときに、吸水層２１が試料液を吸水してしまうことがなくなり、その後に試薬固定部材１を試料液除去部材２の吸水層２１に接触させるまでは、吸水層２１における吸水可能量が低下することはない。
【００２７】
一方、試薬固定部材１、とくに基板１０に付着した余剰な試料液を除去する場合には、図１および図２に示したように支持体２０の凹部２０ａに試薬固定部材１を保持させ、試薬固定部材１に対して試料液除去部材２の吸水層２１が接触した状態を選択すればよい。そうすれば、吸水層２１において基板１０に付着した余剰な試料液が吸水され、基板１０から余剰な試料液が除去される。このとき、吸水層２１の吸水可能量が適切に維持されているために、余剰な試料液を適切に吸水・除去することができる。試料液除去部材２は、支持体２０が吸水層２１よりも吸水性が低くされている。そのため、吸水層２１において吸水された試料液は、支持体２０に移動することなく、吸水層２１において保持される。その結果、試料液の分析を行うために、分析用具Ｘ１を分析装置にセットした場合には、試料液除去部材２において除去した試料液が分析装置に付着してしまうことはない。
【００２８】
上述したように、分析用具Ｘ１は余剰な試料液を適切に除去することができる。したがって、分析装置に対して余剰な試料液を除去するための機構を設ける必要がなくなり、分析装置の大型化および製造コストを抑制することができるようになる。
【００２９】
分析装置Ｘ１においては、試料液除去部材２が支持体２０および吸水層２１により構成されていたが、支持体２０を省略して吸水層２１のみにより試料液除去部材を構成してもよい。
【００３０】
次に、図４および図５を参照して本発明の第２の実施の形態に係る分析用具Ｘ２を説明する。ただし、図４および図５においては、図１ないし図３を参照して先に説明した分析用具Ｘ１と同一の要素については同一の符号を付してあり、ここでは重複説明を省略するものとする。
【００３１】
分析用具Ｘ２は、先に説明した分析用具Ｘ１（図１ないし図３参照）と同様に試薬固定部材１および試料液除去部材３を備えたものであるが、分析用具Ｘ１（図１ないし図３参照）とは試料液除去部材３の構成、より具体的には支持体３０の構成が異なっている。
【００３２】
試料液除去部材３は、試薬固定部材１を長手方向（図中の矢印Ｎ１，Ｎ２方向）にスライド可能に保持できるように構成されており、長手方向に延びる空間部３１および切欠３２を有している。空間部３１は、側方に開放しているとともに、切欠３２を介して上方に開放している。空間部３１には、吸水層２１が配置されている。切欠３２は、試薬パッド１１の移動を許容するためのものであり、短手方向（図中の矢印Ｎ３，Ｎ４方向）に突出したガイド部３３により、短手方向の寸法が空間部３１に比べて小さくされている。その結果、図５（ｂ）に良く表れているように、試薬固定部材１における基板１０の側縁がガイド部３３に係合した格好となっている。
【００３３】
分析用具Ｘ２では、試料液除去部材３に対して、試薬固定部材１を矢印Ｎ１，Ｎ２にスライドさせることができる。したがって、試料液に試薬パッド１１を浸漬させる場合には、試薬固定部材１を矢印Ｎ１方向に移動させて図４および図５（ａ）に仮想線で示したように試薬パッド１１が試料液除去部材３から突出した状態とすればよい。一方、余剰な試料液を除去する場合には、同図に実線で示したように試薬パッド１１が試料液除去部材３に収容された状態とすればよい。そうすれば、試薬固定部材１における基板１０の側面１０ａおよび底面１０ｂが吸水層２１と接触するため、基板１０に付着した余剰な試料液を除去することができる。
【００３４】
次に、図６を参照して本発明の第３の実施の形態に係る分析用具Ｘ３を説明する。ただし、図６においては、図１ないし図３を参照して先に説明した分析用具Ｘ１と同一の要素については同一の符号を付してあり、ここでは重複説明を省略するものとする。
【００３５】
分析用具Ｘ３は、先に説明した分析用具Ｘ１（図１ないし図３参照）と同様に試薬固定部材１および試料液除去部材４を備えたものであるが、分析用具Ｘ１（図１ないし図３参照）とは試料液除去部材４の構成が異なっている。
【００３６】
試料液除去部材４は、試薬固定部材１よりも若干大きな平面視面積を有しており、端部４０において試薬固定部材１と繋げられている。この試料液除去部材４は、可撓性および吸水性を有するものとして構成されており、ループ部４１を備えている。ループ部４１には、試薬固定部材１の基板１０が挿通されており、ループ部４１が基板１０に対して相対動可能とされている。その結果、ループ部４１を基板１０に対して矢印Ｎ２方向に移動させることにより、試料液除去部材４における端部４０とループ部４１との間の部分を撓ませて、基板１０の底面における試薬パッド１１の直下部分を露出させることができる。一方、ループ部４１を基板１０に対して矢印Ｎ１方向に移動させることにより、当該直下部分が試料液除去部材４に接触する状態を選択することができる。
【００３７】
分析用具Ｘ３では、試料液除去部材４の全体が可撓性を有するものとして構成してもよいし、端部４０とループ部４１の間のみに可撓性を付与してもよい。また、端部４０とループ部４１との間を屈曲可能なように構成して、あるいは試薬固定部材１に可撓性や屈曲性を付与しても、同様な機能を奏することができる。ループ部４１は、必ずしも試料液除去部材に設ける必要はなく、試薬固定部材に設け、あるいは試薬固定部材や試料液除去部とは別体として設けてもよい。
【００３８】
次に、図７を参照して本発明の第４の実施の形態に係る分析用具Ｘ４を説明する。ただし、図７においては、図１ないし図３を参照して先に説明した分析用具Ｘ１と同一の要素については同一の符号を付してあり、ここでは重複説明を省略するものとする。
【００３９】
分析用具Ｘ４は、試料液除去部材５に対して、弾性部材５０を介して試薬固定部材１が接続された形態を有している。この分析用具Ｘ４は、自然状態では基板１０の底面が試料液除去部材５に接触した状態とされている。したがって、試薬固定部材１に対して矢印Ｎ１方向に向けた力を作用させることにより、基板１０の底面における試薬パッド１１の直下部分を露出させることができる。一方、試薬固定部材１に作用する力を取り除くことにより、試薬固定部材１を矢印Ｎ１方向に移動させ、元の位置に復帰させることができる。
【００４０】
次に、図８を参照して本発明の第５の実施の形態に係る分析用具Ｘ５を説明する。ただし、図８においては、図１ないし図３を参照して先に説明した分析用具Ｘ１と同一の要素については同一の符号を付してあり、ここでは重複説明を省略するものとする。
【００４１】
分析用具Ｘ５では、試薬固定部１′と試料液除去部６とが互いに接続されて、試薬固定部１′と試料液除去部６によって帯状の部材６０が構成されている。帯状の部材６０は、軸６１を介して折り返した状態とされ、ガイド部６２によって、試薬固定部１と試料液除去部６とが厚み方向に拘束されている。試料液除去部６には、試薬固定部１′に対面する部分に吸水層２１′が設けられている。軸６１には、この軸６１が抜け落ちるのを防止するための補助部６３が連結されている。この構成では、軸６１の周面に沿って試薬固定部１′または試料液除去部６を移動させることにより、試薬パッド１１の直下部分が露出する状態と、当該直下部分が吸水層２１′に接触する状態とを選択することができる。
【００４２】
次に、図９を参照して本発明の第６の実施の形態に係る分析用具Ｘ６を説明する。ただし、図９においては、図１ないし図３を参照して先に説明した分析用具Ｘ１と同一の要素については同一の符号を付してあり、ここでは重複説明を省略するものとする。
【００４３】
分析用具Ｘ６は、図９（ａ）に示したように試薬固定部材１を上シート７Ａおよび下シート７Ｂの間に挟み込んだものである。下シート７Ｂにおける試薬固定部材１の基板１０と接触し得る面７０Ｂは、吸水性を有するものとされている。この構成では、一方の端部から開封することにより、上シート７Ａや下シート７Ｂが試薬固定部材１と接触する状態および接触しない状態を選択することができる。たとえば試薬固定部材１を試料液に浸漬する場合には、図９（ｂ）に示したように、上シート７Ａや下シート７Ｂが試薬固定部材１と接触しない状態を選択すればよい。そうすれば、上シート７Ａや下シート７Ｂを濡らすことなく、試薬パッド１１に対して試料液を含浸させることができる。一方、基板１０に付着した余剰な試料液を除去する場合には、図９（ｃ）に示したように下シート７Ｂが基板１０に接触した状態を選択すればよい。もちろん、試薬固定部材１に上シート７Ａを接触させて余剰な試料液を除去するようにしてもよい。
【００４４】
本発明は、上述した実施の形態には限定されず、種々に設計変更可能である。試料液除去部は、必ずしも吸水層を備えている必要はなく、たとえば図１０（ａ）または（ｂ）に示したように、試料液除去部８Ａ，８Ｂに対して、試薬固定部と接触させる部分に孔部８０Ａや溝８０Ｂといった凹部を設けて余剰な試料液を除去するようにしてもよい。
【図面の簡単な説明】
【図１】本発明の第１の実施の形態に係る分析用具を示す全体斜視図である。
【図２】図１のＩＩ‐ＩＩ線に沿う断面図である。
【図３】図１に示した分析用具の試薬パッドを、試料液へ浸漬するための方法を説明するための側面図である。
【図４】本発明の第２の実施の形態に係る分析用具の全体斜視図である。
【図５】（ａ）は図４のＶａ−Ｖａ線に沿う断面図であり、（ｂ）は図４のＶｂ−Ｖｂ線に沿う断面図である。
【図６】本発明の第３の実施の形態に係る分析用具の全体斜視図である。
【図７】本発明の第４の実施の形態に係る分析用具の断面図である。
【図８】本発明の第５の実施の形態に係る分析用具の全体斜視図である。
【図９】本発明の第６の実施の形態に係る分析用具を説明するための図である。
【図１０】試料液除去部の他の例を示す全体斜視図である。
【図１１】従来の検査装置における余剰尿除去部を説明するための全体斜視図である。
【図１２】図１１のＸＩＩ‐ＸＩＩ線に沿う断面図である。
【符号の説明】
Ｘ１〜Ｘ６  分析用具
１  試薬固定部材（試薬固定部）
１′  試薬固定部
２，３，４，５  試料液除去部材（試料液除去部）
６，７Ｂ，８Ａ，８Ｂ  試料液除去部
２０  支持体（低吸水層）
２１，２１′  吸水層（除去機能層）
２２  比色表
３２，６２  ガイド部
４１  ループ部（ガイド部）
６１  軸
８０Ａ  孔部（凹部）
８０Ｂ  溝（凹部）
【図１】
2004177203.tif 000003
【図２】
2004177203.tif 000004
【図３】
2004177203.tif 000005
【図４】
2004177203.tif 000006
【図５】
2004177203.tif 000007
【図６】
2004177203.tif 000008
【図７】
2004177203.tif 000009
【図８】
2004177203.tif 000010
【図９】
2004177203.tif 000011
【図１０】
2004177203.tif 000012
【図１１】
2004177203.tif 000013
【図１２】
2004177203.tif 000014